(57)【要約】【課題】本発明は、最適化された駆動周波数で駆動させてフリッカーを改善して良好なコントラストを得ることができるフィールド順次駆動方式の液晶表示装置を開示する。【解決手段】本発明は、１フレームを少なくとも３サブフレームに分割してサブフレーム別にＲ、Ｇ、Ｂ画像を表示するフィールド順次駆動方式の液晶表示装置において、前記１フレームをフリッカーが４５％以下である条件とコントラスト比が１００以上となる条件のうち、少なくとも一つを満たす駆動周波数で駆動する。前記１フレームを駆動するための周波数は８０ないし１１０Ｈｚで、フリッカーが４５％以下である条件を満たす駆動周波数は８０Ｈｚ以上で、コントラスト比が１００以上である条件を満たす駆動周波数は１１０Ｈｚ以下であることを特徴とする。【選択図】図２
2005107527.tif 000002
【特許請求の範囲】
【請求項１】
１フレームを少なくとも３サブフレームに分割してサブフレーム別にＲ、Ｇ、Ｂ画像を表示するフィールド順次駆動方式の液晶表示装置において、
前記コントラスト比が１００以上となる条件を満たす駆動周波数で駆動することを特徴とするフィールド順次駆動方式の液晶表示装置。
【請求項２】
前記コントラスト比が１００以上である条件を満たす駆動周波数は、１１０Ｈｚ以下であることを特徴とする請求項１記載のフィールド順次駆動方式の液晶表示装置。
【請求項３】
前記１フレームを駆動するための駆動周波数はフリッカーが人の目に認識されない条件を満たす周波数範囲を持つことを特徴とする請求項１記載のフィールド順次駆動方式の液晶表示装置。
【請求項４】
前記フリッカーが人の目に認識されない条件は、フリッカー測定装備を介して測定されたフリッカーが４５％以下である条件を満たすことを特徴とする請求項３記載のフィールド順次駆動方式の液晶表示装置。
【請求項５】
前記フリッカーが４５％以下である条件を満たす駆動周波数は、８０Ｈｚ以上であることを特徴とする請求項４記載のフィールド順次駆動方式の液晶表示装置。
【請求項６】
前記１フレームを駆動するための駆動周波数は、８０ないし１１０Ｈｚであることを特徴とする請求項３記載のフィールド順次駆動方式の液晶表示装置。
【請求項７】
前記１フレームを駆動するための駆動周波数は、８０ないし１１０Ｈｚであることを特徴とする請求項１記載のフィールド順次駆動方式の液晶表示装置。
【請求項８】
１フレームを少なくとも３サブフレームに分割してサブフレーム別にＲ、Ｇ、Ｂ画像を表示するフィールド順次駆動方式の液晶表示装置において、
前記１フレームをコントラスト比が一定以上で、且つフリッカーが視覚的に認識されない条件を満たす駆動周波数で駆動することを特徴とするフィールド順次駆動方式の液晶表示装置。
【請求項９】
前記駆動周波数は、コントラスト比が１００以上で、且つフリッカーが４５％である周波数であることを特徴とする請求項８記載のフィールド順次駆動方式の液晶表示装置。
【請求項１０】
前記１フレームを駆動するための周波数は、８０ないし１１０Ｈｚであることを特徴とする請求項９記載のフィールド順次駆動方式の液晶表示装置。
【請求項１１】
前記フリッカーが４５％以下である条件を満たす駆動周波数は、８０Ｈｚ以上であることを特徴とする請求項８記載のフィールド順次駆動方式の液晶表示装置。
【請求項１２】
前記コントラスト比が１００以上である条件を満たす駆動周波数は、１１０Ｈｚ以下であることを特徴とする請求項８記載のフィールド順次駆動方式の液晶表示装置。
【発明の詳細な説明】
【技術分野】
【０００１】
本発明は、液晶表示装置に関し、より具体的には駆動周波数を最適化させてフリッカーを改善し、且つ良好なコントラストを得ることができるフィールド順次駆動方式の液晶表示装置に関する。
【背景技術】
【０００２】
一般に、カラー液晶表示装置は、上、下基板と、上、下基板間に注入された液晶でなる液晶パネルと、液晶パネルを駆動させるための駆動回路と、液晶に白色光を提供するためのバックライトを備える。このような液晶表示装置は、カラーイメージを表示する方式によってＲ、Ｇ、Ｂカラーフィルター方式とカラーフィールド順次駆動方式との２つの方式に分けられる。
【０００３】
前記カラーフィルター方式の液晶表示装置は、一つの画素をＲ、Ｇ、Ｂ単位画素に分割し、各Ｒ、Ｇ、Ｂ単位画素にＲ、Ｇ、Ｂカラーフィルターが配列される構造として、一つのバックライトから光が液晶を介してＲ、Ｇ、Ｂカラーフィルターに伝達されて、カラーイメージをディスプレイする。
【０００４】
一方、カラーフィールド順次駆動方式の液晶表示装置はＲ、Ｇ、Ｂ単位画素に分割されない一つの画素にＲ、Ｇ、Ｂバックライトが配列される構造として、一つの画素にＲ、Ｇ、ＢバックライトからＲ、Ｇ、Ｂ３原色の光を液晶を介して時分割的に順次ディスプレイすることにより目の残像効果を用いてカラーイメージをディスプレイする。
【０００５】
図１は、通常的なカラーフィールド順次駆動方式の液晶表示装置の概略的な構成図を示すものである。図１を参照すれば、液晶表示装置は、多数のゲートライン、多数のデータライン及び多数の共通ラインにスイッチング用薄膜トランジスターが連結したＴＦＴアレイ（図示せず）が配列された下部基板（１０１）と、前記共通ラインに共通電圧を提供するための共通電極（図示せず）が形成された上部基板（１０３）と、前記上、下基板（１０３）、（１０１）間に注入された液晶（図示せず）を備える液晶パネル（１００）とを備える。
【０００６】
また、液晶表示装置は、前記液晶パネル（１００）の多数のゲートラインに走査信号を提供するためのゲートライン駆動回路（１１０）と、前記データラインにＲ、Ｇ、Ｂデータ信号を提供するためのデータライン駆動回路（１２０）と、前記液晶パネル（１００）にＲ、Ｇ、Ｂ３原色の光を提供するためのバックライトシステム（１３０）とをさらに備える。
【０００７】
前記バックライトシステム（１３０）は、Ｒ、Ｇ、Ｂ光を各々提供するための３個のＲ、Ｇ、Ｂバックライト（１３１）、（１３３）、（１３５）と、前記各Ｒ、Ｇ、Ｂバックライト（１３１）、（１３３）、（１３５）から発光されたＲ、Ｇ、Ｂ光を液晶パネル（１００）の液晶に提供するための導光板（１３７）とを備える。
【０００８】
通常的に６０Ｈｚで駆動する１フレームの時間間隔は、１６．７ｍｓ（１／６０ｓ）であるので、前記のような１フレームが３サブフレームに分割されたフィールド順次駆動方式液晶表示装置では、１サブフレームは５．５６ｍｓ（１／１８０ｓ）の時間間隔を持つ。１サブフレームの時間間隔は、非常に短い時間としてフィールド変化が人の目では認識されない。したがって、人の目には１６．７ｍｓの統合された時間で認識されてＲ、Ｇ、Ｂ３原色の合成されたカラーが認識されるものである。
【０００９】
したがって、フィールド順次駆動方式は、カラーフィルター方式に比べて同じ大きさのパネルで３倍程度の解像度具現が可能で、カラーフィルターを使用しないことにより光効率が増加してカラーテレビと同じ色再現性及び高速の動画像を具現できる長所がある反面、１フレームが３個のサブフレームに分割して駆動するので、カラーフィルター駆動方式に比べて駆動周波数が６倍以上高い駆動周波数を必要とするので、高速の動作特性が要求される。
【００１０】
現在、デジタルフィールド順次駆動方式の液晶表示装置は、同一画素に隣接するフレーム間に互いに異なる極性の駆動電圧が印加されるので、隣接するフレーム間に同一画素に印加される駆動電圧の絶対値が互いに違うようになって、これにより現在のフレームと次のフレーム間の透過光量が違うようになる。このように隣接するフレーム間に同一画素の輝度が互いに変わるようになって画面がちらつくフリッカー（ｆｌｉｃｋｅｒ）が発生する問題点があった。
【００１１】
従来は、隣接するフレーム間の透過光量差によるフリッカーを液晶セルに印加される共通電圧を調整して防止しようとしたが、単純に共通電圧を調整することだけではフリッカーを防止するのは難しい問題点があった。
【発明の開示】
【発明が解決しようとする課題】
【００１２】
本発明は、前述のような従来技術の問題点を解決するためのものであって、フリッカーを改善して良好なコントラストを得ることができるように駆動周波数が最適化された液晶表示装置を提供することにその目的がある。
【課題を解決するための手段】
【００１３】
前記目的を達成するために、本発明は、１フレームを少なくとも３サブフレームに分割してサブフレーム別にＲ、Ｇ、Ｂ画像を表示するフィールド順次駆動方式の液晶表示装置において、前記１フレームをコントラスト比が１００以上となる条件を満たす駆動周波数で駆動するフィールド順次駆動方式の液晶表示装置を提供することを特徴とする。前記１フレームを駆動するための周波数は８０ないし１１０Ｈｚで、フリッカーが４５％以下である条件を満たす駆動周波数は８０Ｈｚ以上で、コントラスト比が１００以上である条件を満たす駆動周波数は１１０Ｈｚ以下であることを特徴とする。
【００１４】
また、本発明は、１フレームを少なくとも３サブフレームに分割してサブフレーム別にＲ、Ｇ、Ｂ画像を表示するフィールド順次駆動方式の液晶表示装置において、前記１フレームをコントラスト比が一定以上となり、且つフリッカーが視覚的に認識されない条件を満たす駆動周波数で駆動するフィールド順次駆動方式の液晶表示装置を提供することを特徴とする。前記駆動周波数は、コントラスト比が１００以上で、且つフリッカーが４５％である周波数範囲を持って、８０ないし１１０Ｈｚであることを特徴とする。
【発明の効果】
【００１５】
前記のような本発明の実施例に係るフィールド順次駆動方式の液晶表示装置は、最適化された駆動周波数で駆動されるので、所望のコントラストを得て、且つフリッカーを改善させることができる利点がある。
【発明を実施するための最良の形態】
【００１６】
以下、本発明の実施例を添付された図面を参照して説明すれば、次の通りである。
【００１７】
本発明の実施例に係るカラーフィールド順次駆動方式の液晶表示装置は、図１に示されたような構造を持つ。したがって、本発明では、フリッカーを改善するために各フレーム間の光量差を人が感じられないように駆動周波数を上げてフリッカーを人の目で認識できないようにしようとする。
【００１８】
一方、フリッカーを改善するためには、駆動周波数を増加させなければならないが、駆動周波数が増加すれば、駆動能力が低下される。すなわち、駆動周波数が増加すれば、図１のゲートライン駆動回路（１１０）で液晶パネル（１００）のゲートラインに提供される走査信号、すなわち、ゲートパルスの幅が小さくなるようになる。したがって、幅が非常に小さなゲートパルスが該当するゲートラインに印加されれば、スイッチングトランジスターが十分にターンオンできなくデータライン駆動回路（１２０）からデータ信号が液晶パネル（１００）の液晶セルに十分に伝えられなくなる。
【００１９】
また、駆動周波数が増加すれば、表示装置の特性が低下される。すなわち、駆動周波数が増加すれば、フリッカーは改善されるが、それによってコントラストが低下される。コントラストは、ブラック状態での輝度に対するホワイト状態での輝度を表し、コントラストは、ブラック状態での輝度に対するホワイト状態での輝度の比を表す。
【００２０】
通常的に表示装置で画像をディスプレイするためには、コントラスト比が１００以上とならなければならない。すなわち、ブラック状態での輝度を１とする時、ホワイト状態での輝度が１００以上とならなければならない。
【００２１】
したがって、本発明では、フリッカーを改善すると共に表示装置の良好な特性を得ることができるように駆動周波数を最適化するものである。
【００２２】
図２は、本発明の実施例に係るフィールド順次駆動方式の液晶表示装置において、駆動周波数によるコントラスト比及びフリッカーとの関係を示すものである。
【００２３】
図２を参照すれば、カラーフィールド順次駆動方式の液晶表示装置では、駆動周波数が増加することによってフリッカーが減少される反面、コントラストは低下されることが分かる。
【００２４】
表１は、図２に示された各駆動周波数に対するフリッカーとコントラスト比を図表化したものである。この際、フリッカーはＹＯＫＯＫＡＷＡ社のフリッカー測定装備を用いて測定した値として、前記測定装置で測定されたフリッカーの測定値が４５％以下ならば、人の目ではフリッカーを認識出来ない値である。
【００２５】
図２と表１から本発明ではフリッカーが４５％以下で、コントラスト比が１００以上である条件を満たす周波数を１フレームを駆動する駆動周波数で設定し、液晶パネルの液晶セルを駆動させる。したがって、フリッカーが４５％以下で、コントラスト比が１００以上を満たす８０ないし１１０Ｈｚ範囲の周波数を駆動周波数で設定してフィールド順次駆動する。
【表１】
2005107527.tif 000003
【００２６】
この際、表１で”Ｘ”及び”下”はフリッカーを人が全くまたはほとんど認識できない程度でフリッカーが発生されることを意味し、”中”はフリッカーが人の目で認識される程に発生されることを意味し、”上”はフリッカーを人が非常に酷く感じる程度にフリッカーが発生されることを意味する。
【００２７】
本発明では、１フレームを駆動する駆動周波数の範囲を８０ないし１００Ｈｚで設定することによって、反転駆動時、発生するフリッカーを共通電圧レベルを調整しなくて素子の特性低下なしに改善させることができる。
【００２８】
前記では、本発明の好適な実施例を参照して説明したが、該当技術分野の熟練された当業者は、上記特許請求の範囲に記載された本発明の思想及び領域から外れない範囲内で本発明を多様に修正及び変更させることができることが分かる。
【図面の簡単な説明】
【００２９】
【図１】通常的なカラーフィールド順次駆動方式の液晶表示装置の概略的な構成図である。
【図２】本発明の実施例に係るカラーフィールド順次駆動方式の液晶表示装置において、駆動周波数によるコントラストとフリッカーとの関係を示す図面である。
【符号の説明】
【００３０】
１００  液晶パネル
１１０  ゲートライン駆動回路
１２０  データライン駆動回路
１３０  バックライトシステム
１３１、１３３、１３５  Ｒ、Ｇ、Ｂ光源
１３７  導光板
【図１】
2005107527.tif 000004
【図２】
2005107527.tif 000005